(57)【要約】【課題】被清掃面にたいする清掃効果が極めて高く、かつ、清掃体を製作後、ロータへ挿入固定する事により回転ロータを組み付ける工程が必要無い回転ロータを提供する。【解決手段】掃除機用床ノズルに使用されてある回転ロータにおいて、前記回転ロータはロータ、及び清掃体を有すると共に、前記清掃体は前記ロータにたいして静電植毛加工により複数のブラシ片が植設されて形成されてあるものである。【選択図】      図１
2005230514.tif 000002
【特許請求の範囲】
【請求項１】
掃除機用床ノズルに使用されてある回転ロータにおいて、前記回転ロータはロータ、及び清掃体を有すると共に、前記清掃体は前記ロータにたいして静電植毛加工により複数のブラシ片が植設されて形成されてあることを特徴とする回転ロータ。
【請求項２】
請求項１記載の構成よりなる回転ロータにおいて、前記清掃体は前記ロータの外周面に軸の周りに捩りを加えて螺旋状に形成されてあることを特徴とする回転ロータ。
【請求項３】
請求項１あるいは２記載の構成よりなる回転ロータにおいて、前記ブラシ片は前記ロータの軸芯にたいして平行に植設されて形成されてあることを特徴とする回転ロータ。
【請求項４】
請求項１あるいは２記載の構成よりなる回転ロータにおいて、前記ブラシ片は前記ロータの軸芯にたいして放射状に植設されて形成されてあることを特徴とする回転ロータ。
【請求項５】
請求項１から４記載の構成よりなる回転ロータにおいて、前記回転ロータは前記清掃体を前記ロータにたいして形成後、コーティング処理あるいはメッキ処理されてあることを特徴とする回転ロータ。
【請求項６】
請求項１から５記載の構成よりなる回転ロータにおいて、前記ブラシ片の表面に凹凸形状が形成されてあることを特徴とする回転ロータ。
【発明の詳細な説明】
【技術分野】
【０００１】  本発明は、掃除機用床ノズルに使用されてある回転ロータに関するものである。
【背景技術】
【０００２】  掃除機用床ノズルに使用されてある回転ロータに関しては、さまざまな改良がなされ、例えば、底面から突出し被清掃面上を転動して走行する車輪を備えた掃除機の床ノズルにおいて、前記車輪の床面に接する全周に、静電植毛加工によって微小径で毛足の長い微小突起毛を設けた技術が、掃除機用床ノズルの車輪として、特開平１１−２０６６３３号に開示されてある。また、回転ロータを構成するロータに形成された支持溝に清掃体を挿入固定する技術が、掃除機用床ノズルの回転ロータとして、特開２００１−２５２２２６号に開示されてある。【０００３】  従来の静電植毛加工の技術においては、上記の如く、前記車輪の床面に接する全周に静電植毛加工によって微小径で毛足の長い微小突起毛を設ける方法を採用する事により、走行音の減少、及び床面への傷つき等は、防止できるが、床面にたいする清掃効果は有していないという課題を有していた。【０００４】  また、従来の回転ロータの技術においては、上記の如く、清掃体をロータの支持溝に挿入固定する方法を採用する事により、ロータが回転する事により、清掃体が床面に接触して清掃する事はできるが、清掃体を製作後、ロータへ挿入固定する事により回転ロータを組み付ける工程が必要であるという課題を有していた。【０００５】
【特許文献１】  特開平１１−２０６６３３号公報
【特許文献２】  特開２００１−２５２２２６号公報
【発明の開示】
【発明が解決しようとする課題】
【０００６】  本発明は、上記のような課題を解決するためになされたもので、被清掃面にたいする清掃効果が極めて高く、かつ、清掃体を製作後、ロータへ挿入固定する事により回転ロータを組み付ける工程が必要無い回転ロータを提供することを目的としている。
【課題を解決するための手段】
【０００７】  本発明にかかる掃除機用床ノズルの回転ロータは、次のように構成したものである。
（１）掃除機用床ノズルに使用されてある回転ロータにおいて、前記回転ロータはロータ、及び清掃体を有すると共に、前記清掃体は前記ロータにたいして静電植毛加工により複数のブラシ片が植設されて形成されてあるものである。【０００８】  （２）上記（１）記載の回転ロータにおいて、前記清掃体は前記ロータの外周面に軸の周りに捩りを加えて螺旋状に形成されてあるものである。【０００９】  （３）上記（１）あるいは（２）記載の回転ロータにおいて、前記ブラシ片は前記ロータの軸芯にたいして平行に植設されて形成されてあるものである。【００１０】  （４）上記（１）あるいは（２）記載の回転ロータにおいて、前記ブラシ片は前記ロータの軸芯にたいして放射状に植設されて形成されてあるものである。【００１１】  （５）上記（１）から（４）記載の回転ロータにおいて、前記回転ロータは前記清掃体を前記ロータにたいして形成後、コーティング処理あるいはメッキ処理されてあるものである。【００１２】  （６）上記（１）から（５）記載の回転ロータにおいて、前記ブラシ片の表面に凹凸形状が形成されてあるものである。
【発明の効果】
【００１３】  本発明の掃除機用床ノズルの回転ロータは、次に示すような効果を得ることができる。なお、説明にあたっては、請求項の番号と同じ番号を付して説明する。【００１４】  （１）清掃体は、ロータの表面に複数のブラシ片が植設される事により、形成されてある。その為、回転ロータは、別工程にて、複数のブラシ片を有する清掃体を製作する必要が無い。また、複数のブラシ片を有する清掃体を製作後、ロータへ挿入固定等する事により、清掃体をロータに組み付ける工程が、必要無い。その為、極めて、容易、かつ迅速に、回転ロータを製作する事が可能であり、極めて安価な回転ロータを製作できる。【００１５】  また、回転ロータは、ロータの外周に複数の清掃体が形成されてある為、回転ロータの使用時においては、複数の清掃体が、被清掃面上を断続的に接触する事ができる為、極めて高い清掃効果を有することができる。【００１６】  また、回転ロータは、複数のブラシ片が、静電植毛加工により、接着層を有するロータに植設されてある為、接着層に使用する接着剤の種類、硬化時の強度、接着層の厚さ等を、適時、設定する事ができる。その為、回転ロータの使用する目的に応じて、ブラシ片の脱落、抜け等の発生が無い清掃体を形成する事ができ、回転ロータの被清掃面にたいする清掃効果を、極めて高く設定する事ができると共に、回転ロータは、高い耐久性を有する事ができる。【００１７】  また、回転ロータは、ブラシ片の材質として、毛腰の強い材質を使用する場合であっても、極めて、容易、かつ迅速に、清掃体を形成する事ができる為、回転ロータの使用時においては、毛腰の強い材質のブラシ片が、被清掃面上の塵埃、ごみ、こびりついた汚れ等を、強力に掻き出すことができ、回転ロータは、極めて高い清掃効果を有することができる。【００１８】  さらにまた、清掃体は、ブラシ片の材質として、複数種類の材質を組み合わせて使用することができる為、被清掃面上に、さまざまな塵埃、ごみ等がある場合においても、強力に掻き出すことができ、回転ロータは、極めて高い清掃効果を有することができる。【００１９】  （１）他の実施の形態として、ロータの全周に、概円柱形状を形成するように、清掃体が形成されてある回転ロータを使用した場合においては、ロータの全周に、概円柱形状に形成されてある清掃体が、被清掃面上を連続的に接触する事ができる為、被清掃面上の塵埃、ごみ、こびりついた汚れ等を、被清掃面上に残す事無く、掻き出すことができ、極めて高い清掃効果を有することができる。【００２０】  （２）清掃体が、ロータの軸の周りに捩りを加えた螺旋状に形成されてある。その為、回転ロータの使用時には、ロータの軸の周りに捩りを加えた螺旋状に形成された清掃体に形成されてあるブラシ片が、連続的かつ強力に被清掃面に接触し、被清掃面上の塵埃、ごみ、こびりついた汚れ等を、強力に掻き出すことができる為、回転ロータは、極めて高い清掃効果を有することができる。【００２１】  （２）他の実施の形態として、ロータの外周に、材質、毛丈、及び線径等が、異なるように設定されてある複数のブラシ片からなる複数の清掃体が形成されてある回転ロータを使用した場合においては、複数の清掃体が、断続的、かつ強力に被清掃面に接触する。その為、被清掃面上のさまざまな塵埃、ごみ、こびりついた汚れ等にたいしても、強力に掻き出すことができる為、回転ロータは、極めて高い清掃効果を有することができる。【００２２】  （３）複数のブラシ片が、静電植毛加工によりロータの軸芯にたいして平行に植設されて形成されてある。その為、ブラシ片を、高い密度にて植設することが可能になると共に、植設後のブラシ片の脱落、抜け等を、より防止する事ができる。その為、被清掃面上に強力にこびりついた塵埃、ごみ、汚れ等にたいしても、回転ロータは、極めて高い清掃効果を有することができる。【００２３】  （３）他の実施の形態として、ロータの外周に、複数の概歯切形状が形成されてあり、複数の概歯切形状の上部に複数の清掃体が形成されてあると共に、端面に概歯切形状が形成されてあり、複数のブラシ片がロータの軸芯にたいして平行に植設されて形成されてある回転ロータを使用した場合においては、ロータの外周に形成された複数の清掃体の概歯切形状が、断続的、かつ強力に被清掃面に接触する。その為、被清掃面上のさまざまな塵埃、ごみ、こびりついた汚れ等にたいしても、強力に掻き出すことができる為、回転ロータは、極めて高い清掃効果を有することができる。【００２４】  （４）回転ロータの使用時には、ロータの外周に、ロータの軸芯にたいして放射状に植設されて形成された複数の清掃体は、被清掃面にたいして、極めて円滑に接触することができる。その為、被清掃面に傷等を付ける事無く、円滑、かつ迅速に、清掃することができ、回転ロータは、極めて高い清掃効果を有することができる。【００２５】  （５）コーティング処理、あるいはメッキ処理により形成された膜層が、ブラシ片を保護する事ができる。その為、回転ロータの使用時には、被清掃面上のさまざまな塵埃、ごみ、こびりついた汚れ等にたいしても、強力に掻き出すことができると共に、ブラシ片が膜層により保護されてある為、回転ロータは、極めて高い清掃効果を有する事ができると共に、高い耐久性を有する事ができる。また、コーティング処理材料、あるいはメッキ処理材料として、銀、亜鉛、銅イオン等を含有する無機系抗菌剤、有機系抗菌剤、天然系抗菌剤、酸化チタン等を含有する光触媒系抗菌剤を使用した場合には、ブラシ片の表面の膜層に付着した細菌の増殖等を、抑制することができる。【００２６】  （６）ブラシ片の表面に形成されてある凹凸形状が、接着層にたいして、噛み込むようにして、静電植毛加工により、植設されて形成されてある。その為、ブラシ片にたいして、引き抜く力、あるいは衝撃等が加わった場合であっても、接着層にたいして、噛み込むようにして、植設されて形成されてあるブラシ片の表面の凹凸形状が、ブラシ片の脱落、あるいは抜け等を、防止する事ができる。
【発明を実施するための最良の形態】
【００２７】  被清掃面にたいする清掃効果が極めて高く、かつ、清掃体を製作後、ロータへ挿入固定する事により回転ロータを組み付ける工程が必要無い回転ロータを、提供するという目的を、掃除機用床ノズルに使用されてある回転ロータにおいて、前記回転ロータはロータ、及び清掃体を有すると共に、前記清掃体は前記ロータにたいして静電植毛加工により複数のブラシ片が植設されて形成されてある構成において実現した。
【実施例１】
【００２８】  図１から図４にて実施例１を示す。図１は、本発明の回転ロータを前面側から見た斜視図である。図１において、１は回転ロータ、２はロータ、３は清掃体、５はブラシ片、７は端部である。図２は、図１に記載の回転ロータの使用状態を示す断面図である。図２において、４は掃除機用床ノズル、５０は開口である。図３は、図１に記載の清掃体の詳細を示す断面図である。図３において、６は接着層である。図４は、本発明の他の実施の形態を前面側から見た斜視図である。図４において、１１は回転ロータ、１２はロータ、１３は清掃体、１５はブラシ片、１７は端部である。【００２９】  回転ロータ１は、図１の如く、ロータ２、及び清掃体３より構成されてある。ロータ２は、概円柱形状からなり、ロータ２の外周には、複数の清掃体３が形成されてある。また、ロータ２の長手方向の両側には、端部７が形成されてある。清掃体３は、複数のブラシ片５から形成されてあり、複数のブラシ片５は、静電植毛加工によりロータ２の表面にたいして植設されて形成されてある。また、回転ロータ１は、端部７に、軸受け等を勘合する事により、図２の如く、掃除機用床ノズル４に形成されてある開口５０の近傍に内蔵されてある。【００３０】  次に、図３にて、清掃体３の製造方法を説明する。まず、ブラシ片５が植設される箇所のロータ２の表面にたいして、接着層６を形成する。次に、ロータ２の周囲に、直流電圧により静電界を発生させる。その後、複数のブラシ片５を、静電界により発生する静電吸引力により飛ばす事により、複数のブラシ片５は、ロータ２の表面に形成された接着層６にたいして植設される。上記の如く、直流電圧により静電界を発生させ、その静電吸引力にてブラシ片５を飛ばす事により、接着層６を有するロータ２にブラシ片５を植設する技術は、通常、静電植毛加工と呼ばれている。【００３１】  実施例１の回転ロータ１は、上記の如くの構成となっているので、清掃体３は、ロータ２の表面に複数のブラシ片５が植設される事により、形成されてある。その為、回転ロータ１は、別工程にて複数のブラシ片５を有する清掃体３を製作する必要が無い。また、複数のブラシ片５を有する清掃体３を製作後、ロータ２へ挿入固定等する事により、清掃体３をロータ２に組み付ける工程が、必要無い。その為、極めて、容易、かつ迅速に、回転ロータ１を製作する事が可能であり、極めて安価な回転ロータ１を製作できる。【００３２】  また、回転ロータ１は、ロータ２の外周に複数の清掃体３が形成されてある為、回転ロータ１の使用時においては、複数の清掃体３が、被清掃面上を断続的に接触する事ができる為、極めて高い清掃効果を有することができる。【００３３】  また、回転ロータ１は、複数のブラシ片５が、静電植毛加工により、接着層６を有するロータ２に植設されてある為、接着層６に使用する接着剤の種類、硬化時の強度、接着層６の厚さ等を、適時、設定する事ができる。その為、回転ロータ１の使用する目的に応じて、ブラシ片５の脱落、抜け等の発生が無い清掃体３を形成する事ができ、回転ロータ１の被清掃面にたいする清掃効果を、極めて高く設定する事ができると共に、回転ロータ１は、高い耐久性を有する事ができる。【００３４】  ���た、回転ロータ１は、ブラシ片５の材質として、毛腰の強い材質を使用する場合であっても、極めて、容易、かつ迅速に、清掃体３を形成する事ができる為、回転ロータ１の使用時においては、毛腰の強い材質のブラシ片５が、被清掃面上の塵埃、ごみ、こびりついた汚れ等を、強力に掻き出すことができ、回転ロータ１は、極めて高い清掃効果を有することができる。【００３５】  さらにまた、清掃体３は、ブラシ片５の材質として、複数種類の材質を組み合わせて使用することができる為、被清掃面上に、さまざまな塵埃、ごみ等がある場合においても、強力に掻き出すことができ、回転ロータ１は、極めて高い清掃効果を有することができる。【００３６】  実施例１の回転ロータ１は、上記の如くの構成となっているが、ロータ２に使用する材質としては、静電植毛加工が可能であり、かつ、使用する目的に応じて設定した強度を満足すると共に、概円柱形状等を形成可能な材質であるならば、いずれの材質でも使用することができる。例えば、アルミニウム、マグネシウム、鉄、ステンレス、セラミック、モリブデン、発泡アルミニウム、又は前記材質の合金、天然繊維、化学繊維、天然樹脂発泡体、合成樹脂発泡体、天然樹脂、合成樹脂、天然ゴム、合成ゴム、木、竹、紙等である。また、例えば、各種抗菌剤、金属不活性剤、各種金属粉、各種金属繊維、タルク、ウオラスナイト、珪藻土、クレー、カオリン、ケイ酸カルシウム、ガラス粉、石英粉末、シリカ、カーボンブラック等のケイ酸塩、チタン酸カリウム、アルミナ、酸化亜鉛、酸化チタン、酸化鉄等の金属酸化物、炭酸カルシウム、炭酸バリウム等の金属炭酸塩、水酸化マグネシウム、水酸化アルミニウム等の金属水酸化物、カーボン繊維、ガラス繊維、アルミナ繊維、シリカ繊維等の無機質繊維、マイカ、難燃剤、有機あるいは無機顔料等を少なくとも１種類以上添加することもできる。【００３７】  また、ブラシ片５に使用する材質としては、静電植毛加工が可能であり、かつ、使用する目的に応じて、設定した強度を満足すると共に、清掃体３に形成可能な材質であるならば、いずれの材質でも使用することができる。例えば、アルミニウム、マグネシウム、鉄、ステンレス、セラミック等の線材、又は前記材質の合金線材、天然繊維、化学繊維、天然樹脂発泡体、合成樹脂発泡体、織布、不織布、編物、天然樹脂、ナイロン、アクリル、ポリエステル、ポリプロピレン、ポリエチレン等の合成樹脂、天然ゴム、合成ゴム、ゲル材、フィルム材、メッシュ材、繊維状活性炭、炭素繊維等の炭素材、馬毛、豚毛等の天然毛材であり、前記材質を、組み合わせて使用するか、あるいは混合させて使用することもできる。さらにまた、ブラシ片５の長さ、太さ等についても、静電植毛加工が可能な範囲であるならば、使用する目的に応じて、適時、設定する事ができる。【００３８】  また、実施例１の回転ロータ１は、清掃体３を、ロータ２の外周にたいして装着する方法として、複数のブラシ片５を、静電植毛加工する方法が採用されてあるが、静電植毛加工の方法については、接着層６が必要である前記の方法以外にも、例えば、接着層６を使用する事無く、ブラシ片５に接着剤を塗布した後、ロータ２の外周にたいして植設する等の方法を採用す��こともできる。【００３９】  次に、図４にて、本発明の実施例１の他の実施の形態の回転ロータを説明する。実施例１の他の実施の形態の回転ロータ１１は、図４の如く、ロータ１２、及び清掃体１３より構成されてある。ロータ１２は、概円柱形状からなり、ロータ１２の全周に、概円柱形状を形成するように、清掃体１３が形成されてある。また、ロータ１２の長手方向の両側には、端部１７が形成されてある。清掃体１３は、複数のブラシ片１５から形成されてあり、複数のブラシ片１５は、静電植毛加工によりロータ１２の表面にたいして植設されて形成されてある。【００４０】  本発明の実施例１の他の実施の形態の回転ロータ１１は、上記の如くの構成となっているので、回転ロータ１１の使用時においては、ロータ１２の全周に、概円柱形状に形成されてある清掃体１３が、被清掃面上を連続的に接触する事ができる為、被清掃面上の塵埃、ごみ、こびりついた汚れ等を、被清掃面上に残す事無く、掻き出すことができ、極めて高い清掃効果を有することができる。【００４１】  実施例１の他の実施の形態の回転ロータ１１は、上記の如くの構成となっているが、ロータ１２の全周に植設するブラシ片１５の密度については、使用目的に応じて、適時、設定できる。例えば、被清掃面がフローリング等の平滑な面にたいして、毛腰の柔らかいブラシ片１５を、高い密度にてロータ１２に植設した回転ロータ１１を使用した場合には、フローリング等の塵埃等を、残す事無く、掻き出すことができる。また、例えば、被清掃面がじゅうたん等の掻き出しが必要な面にたいして、毛腰の硬いブラシ片１５を、粗い密度にてロータ１２に植設した回転ロータ１１を使用した場合には、じゅうたん内部の塵埃等を、掻き出した後、清掃することができる。
【実施例２】
【００４２】  図５及び図６にて実施例２を示す。図５は、本発明の回転ロータを前面側から見た斜視図である。図５において、２１は回転ロータ、２２はロータ、２３は清掃体、２５はブラシ片、２７は端部である。図６は、本発明の他の実施の形態の回転ロータを前面側から見た斜視図である。図６において、３１は回転ロータ、３２はロータ、３３、４３、５３は清掃体、３５、４５、５５はブラシ片、３７は端部である。【００４３】  回転ロータ２１は、図５の如く、ロータ２２、及び清掃体２３より構成されてある。ロータ２２は、概円柱形状からなり、ロータ２２の外周には、軸の周りに捩りを加えて、複数の清掃体２３が、螺旋状に形成されてある。また、ロータ２２の長手方向の両側には、端部２７が形成されてある。清掃体２３は、複数のブラシ片２５から形成されてあり、複数のブラシ片２５は、静電植毛加工によりロータ２２の表面にたいして植設されて形成されてある。【００４４】  実施例２の回転ロータ２１は、上記の如くの構成となっているので、清掃体２３が、ロータ２２の軸の周りに捩りを加えた螺旋状に形成されてある。その為、回転ロータ２１の使用時には、ロータ２２の軸の周りに捩りを加えた螺旋状に形成された清掃体２３に形成されてあるブラシ片２５が、連続的かつ強力に被清掃面に接触し、被清掃面上の塵埃、ごみ、こびりついた汚れ等を、強力に掻き出すことができる為、回転ロータ２１は、極めて高い清掃効果を有することができる。【００４５】  実施例２の回転ロータ２１は、上記の如くの構成となっているが、清掃体２３の形成状態については、使用目的に応じて、軸の周りに捩りを加えた螺旋状以外にも、中央部から両端に向かって概Ｖ字形状の螺旋状、概波形形状の螺旋状、あるいは前記形状の組合せ等を、適時、設定することができる。【００４６】  次に、図６にて本発明の実施例２の他の実施の形態の回転ロータを説明する。実施例２の他の実施の形態の回転ロータ３１は、図６の如く、ロータ３２、及び清掃体３３、４３、５３より構成されてある。ロータ３２は、概円柱形状からなり、ロータ３２の外周には、複数の清掃体３３、４３、５３が形成されてある。また、ロータ３２の長手方向の両側には、端部３７が形成されてある。清掃体３３、４３、５３は、複数のブラシ片３５、４５、５５から形成されてあり、複数のブラシ片３５、４５、５５は、静電植毛加工によりロータ３２の表面にたいして植設されて形成されてある。また、複数のブラシ片３５、４５、５５は、材質、毛丈、及び線径等が、異なるように設定されてある。【００４７】  実施例２の他の実施の形態の回転ロータ３１は、上記の如くの構成となっているので、回転ロータ３１の使用時には、ロータ３２の外周に形成された、材質、毛丈、及び線径等が異なるように設定されてある複数のブラシ片３５、４５、５５により形成された清掃体３３、４３、５３が、断続的かつ強力に被清掃面に接触する。その為、被清掃面上のさまざまな塵埃、ごみ、こびりついた汚れ等にたいしても、強力に掻き出すことができる為、回転ロータ３１は、極めて高い清掃効果を有することができる。【００４８】  実施例２の他の実施の形態の回転ロータ３１は、上記の如くの構成となっているが���使用目的に応じて、例えば、ブラシ片３５、４５、５５は、毛丈のみ異なり、かつ材質、及び線径等は同一に設定しても、何ら支障無い。また、清掃体３３、４３、５３の形成状態についても、使用目的に応じて、ロータ３２の軸の周りに捩りを加えた螺旋状、中央部から両端に向かって概Ｖ字形状の螺旋状、概波形形状の螺旋状、あるいは前記形状の組合せ等を、適時、設定することもできる。
【実施例３】
【００４９】  図７及び図８にて実施例３を示す。図７は、本発明の回転ロータの側面図である。図７において、８は軸芯、４１は回転ロータ、４２はロータ、６３は清掃体、６５はブラシ片である。図８は、本発明の他の実施の形態の回転ロータの側面図である。図８において、９、１９は概歯切形状、１８は軸芯、５１は回転ロータ、５２はロータ、７３は清掃体、７５はブラシ片である。【００５０】  回転ロータ４１は、図７の如く、ロータ４２、及び清掃体６３より構成されてある。ロータ４２は、概円柱形状からなり、ロータ４２の外周には、複数のブラシ片６５が、ロータ４２の軸芯８にたいして平行に植設されて、清掃体６３が形成されてある。また、複数のブラシ片６５は、静電植毛加工によりロータ４２の表面にたいして植設されて形成されてある。【００５１】  実施例３の実施の形態の回転ロータ４１は、上記の如くの構成となっているので、複数のブラシ片６５が、静電植毛加工によりロータ４２の軸芯８にたいして平行に植設されて形成されてある。その為、ブラシ片６５を、高い密度にて植設することが可能になると共に、植設後のブラシ片６５の脱落、抜け等を、より防止する事ができる。その為、被清掃面上に強力にこびりついた塵埃、ごみ、汚れ等にたいしても、回転ロータ４１は、極めて高い清掃効果を有することができる。【００５２】  次に、図８にて、本発明の実施例３の他の実施の形態の回転ロータを説明する。実施例３の他の実施の形態の回転ロータ５１は、図８の如く、ロータ５２、及び清掃体７３より構成されてある。ロータ５２は、概円柱形状からなり、ロータ５２の外周には、複数の概歯切形状１９が形成されてある。また、複数の概歯切形状１９の上部には、複数の清掃体７３が形成されてあり、端面には、概歯切形状９が形成されてある。複数のブラシ片７５は、ロータ５２の軸芯１８にたいして平行に植設されて形成されてある。また、複数のブラシ片７５は、静電植毛加工により植設されて形成されてある。【００５３】  実施例３の他の実施の形態の回転ロータ５１は、上記の如くの構成となっているので、回転ロータ５１の使用時には、ロータ５２の外周に形成された複数の清掃体７３の概歯切形状９が、断続的、かつ強力に被清掃面に接触する。その為、被清掃面上のさまざまな塵埃、ごみ、こびりついた汚れ等にたいしても、強力に掻き出すことができる為、回転ロータ５１は、極めて高い清掃効果を有することができる。【００５４】  実施例３の他の実施の形態の回転ロータ５１は、上記の如くの構成となっているが、ロータ５２の外周に形成された複数の概歯切形状１９については、使用目的に応じて、例えば、概波形形状、平面形状、概丸凹形状、概丸凸形状、あるいは前記形状の組合せ等を、適時、設定することもできる。
【実施例４】
【００５５】  図９にて実施例４を示す。図９は本発明の回転ロータの側面図である。図９において、２８は軸芯、６１は回転ロータ、６２はロータ、８３は清掃体、８５はブラシ片である。【００５６】  回転ロータ６１は、図９の如く、ロータ６２、及び清掃体８３より構成されてある。ロータ６２は、概円柱形状からなり、ロータ６２の外周には、複数のブラシ片８５が、ロータ６２の軸芯２８にたいして放射状に植設されて、清掃体８３が形成されてある。また、複数のブラシ片８５は、静電植毛加工によりロータ６２の表面にたいして植設されて形成されてある。【００５７】  実施例４の回転ロータ６１は、上記の如くの構成となっているので、回転ロータ６１の使用時には、ロータ６２の外周に、ロータ６２の軸芯２８にたいして放射状に植設されて形成された複数の清掃体８３は、被清掃面にたいして、極めて円滑に接触することができる。その為、被清掃面に傷等を付ける事無く、円滑、かつ迅速に、清掃することができ、回転ロータ６１は、極めて高い清掃効果を有することができる。
【実施例５】
【００５８】  図１０にて実施例５を示す。図１０は本発明の回転ロータの断面図である。図１０において、１０は膜層、１６は接着層、７１は回転ロータ、７２はロータ、９３は清掃体、９５はブラシ片である。【００５９】  回転ロータ７１は、図１０の如く、ロータ７２、及び清掃体９３より構成されてある。ロータ７２は、概円柱形状からなり、清掃体９３は、複数のブラシ片９５より形成されてある。また、複数のブラシ片９５は、静電植毛加工によりロータ７２の表面にたいして、接着層１６を介して、植設されて形成されてある。また、回転ロータ７１は、清掃体９３をロータ７２にたいして形成後、コーティング処理あるいはメッキ処理により、膜層１０が形成されてある。コーティング処理材料あるいはメッキ処理材料については、使用目的に応じて、適時、選定する事ができる。【００６０】  実施例５の回転ロータ７１は、上記の如くの構成となっているので、コーティング処理あるいはメッキ処理により形成された膜層１０が、ブラシ片９５を保護する事ができる。その為、回転ロータ７１の使用時には、被清掃面上のさまざまな塵埃、ごみ、こびりついた汚れ等にたいしても、強力に掻き出すことができると共に、ブラシ片９５が膜層１０により保護されてある為、回転ロータ７１は、極めて高い清掃効果を有する事ができると共に、高い耐久性を有する事ができる。また、コーティング処理材料あるいはメッキ処理材料に、銀、亜鉛、銅イオン等を含有する無機系抗菌剤、有機系抗菌剤、天然系抗菌剤、酸化チタン等を含有する光触媒系抗菌剤を使用した場合には、ブラシ片９５の表面の膜層１０に付着した細菌の増殖等を、抑制することができる。【００６１】  実施例５の実施の形態の回転ロータ７１は、上記の如くの構成となっているが、膜層１０の厚み、積層状態、強度等は、使用目的に応じて、適時、設定する事ができる。
【実施例６】
【００６２】  図１１にて実施例６を示す。図１１は本発明の回転ロータの断面図である。図１１において、２０は凹凸形状、２６は接着層、８１は回転ロータ、８２はロータ、１０３は清掃体、１０５はブラシ片である。【００６３】  回転ロータ８１は、図１１の如く、ロータ８２、及び清掃体１０３より構成されてある。ロータ８２は、概円柱形状からなり、清掃体１０３は、複数のブラシ片１０５より形成されてある。また、複数のブラシ片１０５は、静電植毛加工によりロータ８２の表面にたいして、接着層２６を介して、植設されて形成されてある。また、ブラシ片１０５の表面には、凹凸形状２０が形成されてある。【００６４】  実施例６の回転ロータ８１は、上記の如くの構成となっているので、ブラシ片１０５の表面に形成されてある凹凸形状２０が、接着層２６にたいして、噛み込むようにして、静電植毛加工により、植設されて形成されてある。その為、ブラシ片１０５にたいして、引き抜く力、あるいは衝撃等が加わった場合であっても、接着層２６にたいして、噛み込むようにして、植設されて形成されてあるブラシ片１０５の表面の凹凸形状２０が、ブラシ片１０５の脱落、あるいは抜け等を、防止する事ができる。【００６５】  実施例６の実施の形態の回転ロータ８１は、上記の如くの構成となっているが、使用するブラシ片１０５については、例えば、ブラシ片１０５に撚糸を使用することにより、撚糸が有する表面の概凹凸形状に、ブラシ片１０５の脱落、あるいは抜け等の防止効果を代用させる等、使用目的に応じて、適時、設定する事ができる。
【産業上の利用可能性】
【００６６】  本発明の回転ロータは、さまざまな目的にたいして使用可能であるが、掃除機用床ノズルに使用されてある回転ロータに使用する目的以外にも、被清掃面にたいする清掃効果が極めて高く、かつ、耐久性の高い回転ロータとして、広く好適に使用することができる。
【図面の簡単な説明】
【００６７】
【図１】  本発明の回転ロータを前面側から見た斜視図である。
【図２】  図１に記載の回転ロータの使用状態を示す断面図である。
【図３】  図１に記載の清掃体の詳細を示す断面図である。
【図４】  本発明の他の実施の形態を前面側から見た斜視図である。
【図５】  本発明の回転ロータを前面側から見た斜視図である。
【図６】  本発明の他の実施の形態の回転ロータを前面側から見た斜視図である。
【図７】  本発明の回転ロータの側面図である。
【図８】  本発明の他の実施の形態の回転ロータの側面図である。
【図９】  本発明の回転ロータの側面図である。
【図１０】  本発明の回転ロータの断面図である。
【図１１】  本発明の回転ロータの断面図である。
【符号の説明】
【００６８】１、１１、２１、３１、４１、５１、６１、７１、８１  回転ロータ
２、１２、２２、３２、４２、５２、６２、７２、８２  ロータ
３、１３、２３、３３、４３、５３、６３、７３、８３、９３、１０３  清掃体
４  床ノズル
５、１５、２５、３５、４５、５５、６５、７５、８５、９５、１０５  ブラシ片
６、１６、２６  接着層  ７、１７、２７、３７  端部  ８、１８、２８  軸芯
９、１９  概歯切形状  １０  膜層  ２０  凹凸形状  ５０  開口
【図１】
2005230514.tif 000003
【図２】
2005230514.tif 000004
【図３】
2005230514.tif 000005
【図４】
2005230514.tif 000006
【図５】
2005230514.tif 000007
【図６】
2005230514.tif 000008
【図７】
2005230514.tif 000009
【図８】
2005230514.tif 000010
【図９】
2005230514.tif 000011
【図１０】
2005230514.tif 000012
【図１１】
2005230514.tif 000013